(57)【要約】【課題】  搭載したアンテナとＩＣカードを使って外部装置と非接触通信が可能な携帯電話に、複数のＩＣカードが収納された場合でも、外部装置と通信するＩＣカードを選択し、さらに外部装置からの応答要求に対しON/OFF制御可能になる携帯電話を提供する。【解決手段】  ＩＣカードが外部装置と非接触通信を行うためのアンテナ部を有する携帯端末において、複数個のＩＣカード収納部と、ＩＣカード収納部に収納された複数個のＩＣカードとアンテナ部との接続を制御する制御部とを備えることで、外部装置と通信するＩＣカードの選択または接続をオフを可能とした。【選択図】  図１
2010114906.tif 000002
【特許請求の範囲】
【請求項１】
ＩＣカードが外部装置と非接触通信を行うためのアンテナ部を有する携帯端末において
、
ＩＣカード収納部と、
前記ＩＣカード収納部に収納された前記ＩＣカードと前記アンテナ部との接続を制御す
る制御部とを有することを特徴とする携帯端末。
【請求項２】
前記制御部は前記ＩＣカードと前記アンテナ部との接続を切り替えるスイッチ部と、
前記スイッチ部の動作を制御するスイッチ制御部とから構成されることを特徴とする請
求項１記載の携帯端末。
【請求項３】
前記制御部は前記ＩＣカードとの接続をオフすることを含むことを特徴とする請求項１
記載の携帯端末。
【請求項４】
ＩＣカードが外部装置と非接触通信を行うためのアンテナ部を有する携帯端末において
、
複数個のＩＣカード収納部と、
前記ＩＣカード収納部に収納された複数個のＩＣカードと前記アンテナ部との接続を制
御する制御部とを備え、
前記外部装置と通信する前記ＩＣカードの選択を可能としたことを特徴とする携帯端末
。
【請求項５】
前記制御部は前記ＩＣカードと前記アンテナ部との接続を切り替えるスイッチ部と、
前記スイッチ部の動作を制御するスイッチ制御部とから構成されることを特徴とする請
求項４記載の携帯端末。
【請求項６】
前記制御部は前記ＩＣカードとの接続をオフすることを含むことを特徴とする請求項４
記載の携帯端末。
【請求項７】
前記スイッチ制御部は、前記携帯端末に設けられたハードウェアスイッチで構成される
ことを特徴とする請求項２または請求項５の何れか１項に記載の携帯端末。
【請求項８】
前記スイッチ制御部は、前記携帯端末上のソフトウェアにより構成されることを特徴と
する請求項２または請求項５の何れか１項に記載の携帯端末。
【請求項９】
前記スイッチ制御部は認証処理を行う認証処理手段を有し、
前記認証処理手段の認証結果に基づいて、前記スイッチ部を制御することを特徴とする
請求項２または請求項５の何れか１項に記載の携帯端末。
【請求項１０】
ＩＣカードが外部装置と非接触通信を行うためのアンテナ部を有する携帯端末において
、
複数個のＩＣカード収納部と、
前記ＩＣカード収納部に収納された複数個の異なる通信方式の前記ＩＣカードと前記ア
ンテナ部との接続を切り替えるスイッチ部と、
前記スイッチ部の動作を制御するスイッチ制御部と、
前記外部装置が発生するRF動作磁界を受信し、前記受信したRF動作磁界から通信方式を
判別する通信方式判別手段とを有し、
前記スイッチ制御部は前記通信方式判別手段が判別した通信方式と合致する通信方式の
前記ＩＣカードを選択し接続するように前記スイッチ部を制御することを特徴とする携帯
端末。
【請求項１１】
前記スイッチ制御部は前記選択されていないＩＣカードの電源供給をオフすることを特
徴とする請求項１０記載の携帯端末。
【請求項１２】
前記携帯端末は表示手段を有しており、
前記表示手段に前記ＩＣカードと前記アンテナ部との接続状態を表示することを特徴と
する請求項１乃至請求項１１の何れか１項に記載の携帯端末。
【請求項１３】
前記ＩＣカード収納部はブースターコイルを有し、
非接触ＩＣカードのアンテナと電磁的に接続されることを特徴とする請求項１乃至請求
項１２の何れか１項に記載の携帯端末。
【請求項１４】
複数個のＩＣカード機能ユニットが外部装置と非接触通信を行うためのアンテナ部を有
する携帯端末において、
前記複数個のＩＣカード機能ユニットと前記アンテナ部との接続を制御する制御部を備
え、
前記外部装置と通信するＩＣカード機能ユニットの選択を可能としたことを特徴とする
携帯端末。
【請求項１５】
ＩＣカードまたはＩＣカード機能ユニットが外部装置と非接触通信を行うためのアンテ
ナ部を有する携帯端末において、
ＩＣカード収納部と、
前記ＩＣカード機能ユニットまたは前記ＩＣカード収納部に収納されたＩＣカードと前
記アンテナ部との接続を制御する制御部を備え、
前記外部装置と通信するＩＣカード機能ユニットとＩＣカードの何れかが前記外部装置
と通信するかを選択可能としたことを特徴とする携帯端末。
【請求項１６】
前記外部装置が複数あり、前記複数の外部装置が発生するRF動作磁界を受信した場合、
最初に通信が成立したＩＣカードを選択することを特徴とする請求項１０に記載の携帯端
末。
【請求項１７】
前記携帯端末は表示手段を有しており、
前記通信方式判別手段が判別した通信方式と合致する通信方式のＩＣカードが複数ある
場合には、その何れかを選択できるように、前記表示手段に通信可能な前記ＩＣカードの
種類を表示することを特徴とする請求項１０に記載の携帯端末。
【請求項１８】
前記通信方式判別手段が判別した通信方式と合致する通信方式のＩＣカードが複数ある
場合には、前記ＩＣカードの利用履歴に基づいて接続するＩＣカードを選択することを特
徴とする請求項１０に記載の携帯端末。
【請求項１９】
外部装置と非接触通信を行うためのアンテナ部と、異なる通信方式に応じた処理を個別
に行う複数の通信処理部とを備えたＩＣカードにおいて、
前記アンテナ部と前記複数の通信処理部との接続を切り替えるスイッチ部と、
前記スイッチ部の動作を制御するスイッチ制御部と、
前記外部装置が発生するＲＦ動作磁界を受信し、前記受信したＲＦ動作磁界から通信方
式を判別する通信方式判別手段とを有し、
前記スイッチ制御部は前記通信方式判別手段が判別した通信方式と合致する通信方式の
通信処理部を選択し接続するように前記スイッチ部を制御することを特徴とするＩＣカー
ド。
【請求項２０】
ＩＣカード収納部に収納された複数個の異なる通信方式のＩＣカードが外部装置と非接
触通信を行うためのアンテナ部を有する携帯端末におけるＩＣカード制御方法において、
前記外部装置が発生するＲＦ動作磁界を受信し、前記受信したＲＦ動作磁界から前記外
部装置の通信方式を判別するステップと、
前記判別した通信方式と合致する通信方式の前記ＩＣカードを選択し、前記アンテナ部
と接続するように制御するステップとを有することを特徴とするＩＣカード制御方法。
【請求項２１】
ＩＣカード収納部に収納された複数個の異なる通信方式のＩＣカードが外部装置と非接
触通信を行うためのアンテナ部を有する携帯端末に、
前記外部装置が発生するＲＦ動作磁界を受信し、前記受信したRF動作磁界から前記外部
装置の通信方式を判別するステップと、
前記判別した通信方式と合致する通信方式の前記ＩＣカードを選択し前記アンテナ部と
接続するように制御するステップとを実行させることを特徴とするソフトウェアプログラ
ム。
【発明の詳細な説明】
【技術分野】
【０００１】
本発明は、非接触ＩＣカードを使った携帯電話等の携帯端末に関するものである。
【背景技術】
【０００２】
近年、金融系サービスで利用されることの多いカードサイズの接触型ＩＣカードに加え
、接点のない非接触ＩＣカードも交通系サービスを中心に広く普及しつつある。さらに１
つのカードで接触・非接触両方のI/Fを備えた、デュアルウェイI/F（インターフェイス）
カードと呼ばれるＩＣカードも登場してきている。
【０００３】
また、電話番号情報が格納されたSIMサイズのＩＣカードを装着することで利用が可能
になるGSM携帯電話は、ヨーロッパを中心に以前より普及していたが、携帯電話のグロー
バル化に伴い、国内においてもＩＣカードを使った携帯電話は増加傾向にある。さらにＩ
Ｃカードに電話番号情報以外の個人情報や認証処理プログラム等を内蔵し、より高機能な
使い方の検討も始まっている。携帯電話そのものも、基本的な通話機能だけでなく、メー
ル機能やカメラ機能など高機能化が進んでおり、これらの高機能化に伴い、増大するデー
タを外部メモリカードを使って記録・移動するためのメモリカードスロットを備えた携帯
電話も登場している。メモリカードも単純な記録媒体としての機能の他に、ＩＣカード機
能を併せ持ったものや、非接触通信にも対応できるものも出始めている。
【０００４】
携帯電話のさらなる高機能化として、非接触ＩＣカード通信用アンテナを携帯電話に内
蔵し、非接触ＩＣカードやメモリカードを携帯電話に装着することで、非接触ＩＣカード
サービスを利用可能になる環境が整いつつある。
【０００５】
また、非接触ＩＣカード通信用のアンテナではないが、携帯電話の基本通信機能をより
高機能化するために、複数のアンテナを搭載し、必要に応じて最適なアンテナに切り替え
るという技術が特許文献１に記載されている。
【先行技術文献】
【特許文献】
【０００６】
【特許文献１】特開２００２−２２３１８５号公報
【発明の概要】
【発明が解決しようとする課題】
【０００７】
通常携帯電話には１つの非接触ＩＣカードと、１つの非接触ＩＣカード通信用のアンテ
ナが搭載されると考えられるが、今後非接触サービスの増加に伴い、複数の非接触ＩＣカ
ードや 非接触ＩＣカード機能をもったメモリカード等が、１つの携帯電話に搭載される
可能性が予想される。しかし非接触ＩＣカード用のアンテナは、携帯電話程度のサイズに
収納する場合、性能確保のためにはできるだけ大きなサイズをとる必要があり、上記公開
技術のような複数のアンテナを搭載すること自体が難しい。そのため非接触ＩＣカード通
信の場合は、１つのアンテナを複数のＩＣカードで共用しなければならなくなる事態が生
じる。
【０００８】
単純に１つのアンテナを複数のＩＣカードに接続した場合、外部装置から供給されるRF
動作磁界が不足し、所定の性能を満たせなくなることや、通信データの衝突による通信不
良などの問題が生じる可能性がある。また、ある利用者が同じサービスを利用可能な複数
のＩＣカードを所持しており、それらのカードを同時に携帯電話に収納した場合は、どの
カードを使うか利用者の意思で使い分けたほうが利便性が良い。また1枚の非接触ＩＣカ
ードだけが収納されている場合でも、外部装置の応用要求に無条件に応答させたくない場
合も考えられるが、単純に非接触ＩＣカードとアンテナを接続していると、外部からのRF
動作磁界を受信すると、非接触ＩＣカードは自動的に応答を返してしまう。
【０００９】
本発明では、搭載したアンテナとＩＣカードを使って外部装置と非接触通信が可能な携
帯電話等の携帯端末に、複数のＩＣカードが収納された場合でも、外部装置と通信するＩ
Ｃカードを選択し、さらに外部装置からの応答要求に対しON/OFF制御可能になる携帯電話
等の携帯端末、これに用いるＩＣカード、ＩＣカード、ＩＣカード制御方法及びソフトウ
ェアプログラムを提供することを目的とする。
【課題を解決するための手段】
【００１０】
上記課題を解決する為本発明では、ＩＣカードが外部装置と非接触通信を行うためのア
ンテナ部を有する携帯端末において、ＩＣカード収納部と、ＩＣカード収納部に収納され
たＩＣカードとアンテナ部との接続を制御する制御部とを有するように構成し、前記制御
部はＩＣカードとアンテナ部との接続を切り替えるスイッチ部と、このスイッチ部の動作
を制御するスイッチ制御部とからなるように構成した。前記制御部はＩＣカードとの接続
をオフすることを含む。
【００１１】
また本発明では、ＩＣカードが外部装置と非接触通信を行うためのアンテナ部を有する
携帯端末において、複数個のＩＣカード収納部と、このＩＣカード収納部に収納された複
数個のＩＣカードとアンテナ部との接続を制御する制御部とを有するように構成し、前記
制御部はＩＣカードとアンテナ部との接続を切り替えるスイッチ部と、スイッチ部の動作
を制御するスイッチ制御部とからなるように構成し、外部装置と通信するＩＣカードの選
択を可能とした。前記制御部はＩＣカードとの接続をオフすることを含み、前記スイッチ
制御部は、携帯端末に設けられたハードウェアスイッチまたは携帯端末上のソフトウェア
で構成される。
【００１２】
また本発明では、前記スイッチ制御部として、認証処理を行う認証処理手段を有し、認
証処理手段の認証結果に基づいて、スイッチ部を制御するように構成した。
【００１３】
また本発明では、ＩＣカードが外部装置と非接触通信を行うためのアンテナ部を有する
携帯端末において、複数個のＩＣカード収納部と、ＩＣカード収納部に収納された複数個
の異なる通信方式のＩＣカードとアンテナ部との接続を切り替えるスイッチ部と、スイッ
チ部の動作を制御するスイッチ制御部と、外部装置が発生するRF動作磁界を受信し、受信
したRF動作磁界から通信方式を判別する通信方式判別手段とを有し、前記スイッチ制御部
は通信方式判別手段が判別した通信方式と合致する通信方式のＩＣカードを選択し接続す
るように前記スイッチ部を制御するように構成した。
【００１４】
以上のように本発明によれば、搭載したアンテナとＩＣカードを使って外部装置と非接
触通信が可能な携帯電話に、複数のＩＣカードが収納された場合でも、外部装置と通信を
選択し、さらに外部装置からの応答要求に対しＯＮ／ＯＦＦ制御可能になる携帯電話を提
供できる。
【発明の効果】
【００１５】
本発明によれば、ＩＣカードを収納された携帯端末の使い勝手を向上させることができ
る。
【図面の簡単な説明】
【００１６】
【図１】本発明の実施例にかかる、携帯電話、非接触ＩＣカード、外部装置の構成を示す図。
【図２】本発明の実施例にかかる、携帯電話に取り付けられたのアンテナ切り替えハードウェアスイッチの例を示す図。
【図３】本発明の実施例にかかる、携帯電話がソフトウェア制御によりスイッチを制御する場合の選択カード切り替え画面の例を示す図。
【図４】本発明の実施例にかかる、ソフトウェア制御によりスイッチを制御する場合の処理に関するフローチャート。
【図５】本発明の実施例にかかる、携帯電話が認証処理を行い認証結果に応じてスイッチを制御する場合の処理に関するフローチャート。
【図６】本発明の実施例にかかる、携帯電話が認証処理を行い認証結果が失敗した場合を表示する画面の例を示す図。
【図７】本発明の実施例にかかる、携帯電話内部に共通RF受信回路と通信方式判断部を有する携帯電話の内部構成の例を示す図。
【図８】本発明の実施例にかかる、携帯電話内部に共通ＲＦ受信回路と通信方式判断部を有し、１枚のＩＣカードが内蔵された携帯電話の内部構成の例を示す図。
【図９】本発明の実施例にかかる、ＩＣカード収納部がブースターコイルを備える携帯電話の内部構成の例を示す図。
【図１０】本発明の実施例にかかる、複数の通信処理部と、共通RF処理部と、通信方式判断部とを備えた非接触ＩＣカードの内部構成の例を示す図。
【図１１】本発明の実施例にかかる、ＩＣカードチップを内蔵したメモリカードの内部構成の例を示す図。
【発明を実施するための形態】
【００１７】
以下、本発明の実施の携帯について、図面を用いて説明する。
図１は、本発明の一実施形態に係る、携帯電話、通信方式の異なる非接触ＩＣカード及
び、非接触ＩＣカードとRＦ動作磁界により通信を行うための通信方式の異なる複数の外
部装置の構成を示した図である。
【００１８】
携帯電話１００は、非接触ＩＣカード通信用アンテナ１０１と、非接触ＩＣカード通信
用アンテナ１０１からの信号を、通信方式Aの非接触ＩＣカードA１０２及び通信方式Bの
非接触ＩＣカードB１０３に伝達するための収納（または装着）部A１０４及び収納部B１
０５どちらかもしくは、OFFに切り替えるスイッチ１０６と、スイッチ１０６を制御する
スイッチ制御部１０７を具備したものとなっている。非接触ＩＣカードA１０２と収納部A
１０４及び、非接触ＩＣカードB１０３と収納部B１０５は、専用のアンテナ端子やISO781
6の予約接触端子等で電気的に接続され、外部装置からアンテナ１０１を通じての信号が
伝達できるようになっている。
【００１９】
非接触ＩＣカードA１０２は、外部装置A１０８がアンテナ１０９を通じて発する、通信
方式AのRF動作磁界を受信することで動作を行う。非接触ＩＣカードB１０３は、外部装置
B１１０がアンテナ１１１を通じて発する、通信方式BのRF動作磁界を受信することで動作
を行う。
【００２０】
もちろん利用者の意思により、同じサービスや同じ通信方式のカードを複数搭載して切
り替えて使いたいという要望もあるが、そのようなカードを複数搭載しても構わない。
【００２１】
なお、スイッチはアンテナだけでなく、電源端子など他の接続も連動して切り替えるこ
とで、不要なＩＣカードに対する電源供給を抑えることが可能になり、消費電流を小さく
することができる。
【００２２】
図２は、携帯電話外部に取り付けられたのアンテナ切り替えハードウェアスイッチの例
を示した図である。
【００２３】
携帯電話１００の外部に、利用者が直接操作できる手動式のアンテナ接続カード切り替
えスイッチ２００が取り付けられており、このスイッチにより、アンテナをどのＩＣカー
ドに接続するかを制御できる。カードA又はカードBの位置にスイッチをセットすることに
より、通信方式の異なる非接触ＩＣカードA１０２または、非接触ＩＣカードB１０３のど
ちらのカードを通信させるかを選択することが可能となっている。また。OFFの位置にセ
ットすることにより、どちらのカードも通信させないことを選択することができる。
【００２４】
例えば、携帯電話に異なるサービスを受けることができる、２種類の通信方式の異なる
カードを搭載している場合に、利用者は、店舗等で各サービスを受ける際に、スイッチを
切り替えることにより、明確な意思をもってサービスを受けることができるようになる。
また電子マネーのようなサービスを受けることが可能なカードを複数搭載している場合は
、どのカードから支払うかを選択することが可能である。
【００２５】
図３は、携帯電話が、ソフトウェア制御によりスイッチを制御する場合の選択カード切
り替え画面の例を示した図である。
【００２６】
スイッチ制御部がソフトウェアによる制御部を含む場合、例えばソフトウェアで携帯画
面３００に、アンテナと接続するカードを選択するための、ラジオスイッチを表示し、利
用者に通信方式の異なる非接触ＩＣカードA１０２または、非接触ＩＣカードB１０３のど
ちらのカードを通信させるかを、カードA又はカードBのラジオスイッチを選択させること
で可能となっている。また。OFFのラジオボタンにより、どちらのカードとも通信させな
いことを選択させることもできる。この画面での選択に基づき、ソフトウェアでスイッチ
に制御信号をスイッチに送信することで、アンテナとどのカードを接続するか選択可能と
なる。
【００２７】
さらに、どのカード接続しているかは、アンテナは、アイコン等で示すと利用者にわか
りやすい。３０１と３０２にアンテナ接続アイコンの例を示す。３０１のアイコン例では
、２つのカードのうちどちらがアンテナ接続されているかが接続線でわかるものとなって
いる。３０２のアイコン例では、接続されているカードの縁取りが濃くなることで選択さ
れるカードがわかるようになっている。
【００２８】
図４は、ソフトウェア制御によりスイッチを制御する場合の処理を示す、フロー例を示
した図である。
【００２９】
まず携帯電話１００が、利用者のアンテナ切り替えを行うためのボタン操作などで、ス
テップS４００を呼び出し、処理がスタートし、ステップＳ４０１に進む。ステップＳ４
０１では、ラジオボタン等によるアンテナとの接続カード選択画面を表示し、ステップＳ
４０２に進む。ステップＳ４０２では、利用者による、アンテナ接続カード選択キー動作
を受け付け、ステップＳ４０３に進む。ステップＳ４０３では、選択されたカードまたは
接続がＯＦＦかの判別を行いステップＳ４０４に進む。ステップＳ４０４では、ステップ
Ｓ４０３で判別された接続カードまたは、接続ＯＦＦの判別に従い、スイッチ２００への
制御信号を送信し、ステップＳ４０５に進み処理を終了する。
【００３０】
図５は、携帯電話が、認証処理を行い、認証結果に応じてスイッチを制御する場合の処
理を示すフロー例を示した図である。ここでの認証は、接続カードとサーバによる相互認
証・片側認証や、ソフトウェアモジュールとサーバによる相互認証・片側認証、接続カー
ドと利用者との暗証番号等による個人認証などいくつもの種類が考えられるが、その種別
については特にこだわる必要はない。個人認証の場合は、利用者以外の通信を制限させる
ことができる。カードとの認証の場合は、カードが利用可能な権限のあるものかをチェッ
クすることができる。認証に失敗した場合はアンテナを使用させない、またはＩＣカード
を機能させないことで、外部装置との通信を制限することが可能になる。
【００３１】
まず携帯電話１００が、携帯電話起動時や、アンテナ使用時などに、ステップＳ５００
を呼び出し、処理がスタートし、ステップＳ５０１に進む。ステップＳ５０１では、搭載
している認証処理を実行し、ステップＳ５０２に進む。ステップＳ５０２では認証結果で
分岐処理を行い、成功の場合は、ステップＳ５０３に進む。ステップＳ５０３ではスイッ
チ制御を行い、カードとの接続を行いステップＳ５０４に進む。ここでのカード接続は、
あらかじめ設定されているものでもよいし、その時点で利用者に選択させてもよい。ステ
ップＳ５０４では認証が成功したことを示す画面を表示し、ステップＳ５０６に進み処理
を終了する。ステップＳ５０２で、認証結果が失敗の場合は、ステップＳ５０６に進む。
ステップＳ５０６では、スイッチ制御を行い、アンテナとの接続をOFFにしてステップＳ
５０７に進む。ステップＳ５０７では、認証が失敗したことを示す画面を表示し、ステッ
プＳ５０５に進み処理を終了する。認証を行うのは、携帯電話の基本ソフトウェアプログ
ラムでもよいし、携帯電話上にダウンロード可能なプログラムでもよい。
【００３２】
図６は、携帯電話が、認証処理を行い、認証結果が失敗だった場合に表示する画面の例
を示した図である。
【００３３】
ステップＳ５０２で認証結果が失敗の場合に、画面６００のような表示を行う。この画
面では、認証に失敗したためカードとの接続を行わず、非接触ＩＣカード通信ができない
ことを利用者に示している。もちろん利用者に伝えることができれば音やアイコンだけの
表示でも構わない。
【００３４】
図７は、携帯電話内部に、共通ＲＦ受信回路と通信方式判断部を持ち、外部装置との通
信方式に合致するＩＣカードに自動的に切り替えることが可能な携帯電話の内部構成の例
を示した図である。
【００３５】
携帯電話１００は、非接触アンテナ１０１を通じて、外部装置Ａ１０８又は外部装置Ｂ
１１０のどちらかが発する通信方式のＲＦ動作磁界を共通ＲＦ受信部７００で受信する。
受信した通信は、通信方式判断部７０１によって、どの通信方式かを判断される。通信方
式判断部７０１は判断した結果をスイッチ制御部１０７に送り、スイッチ制御部１０７は
その結果に基づいてスイッチ１０６を制御する。このような構成により、携帯電話１００
は、複数の異なる通信方式のカードが搭載されている場合でも、通信方式に合致するＩＣ
カードに適切に切り替えることが可能になる。もちろんこの場合どのＩＣカード収納部に
どの通信方式のカードが搭載されているかは、設定しておいたほうがよい。
【００３６】
また、外部装置Ａと外部装置Ｂの両方がＲＦ動作磁界を発生している状況において、外
部装置Ａと外部装置Ｂの何れか一方と通信したい場合がある。この場合には、予め通信し
たい通信方式のＩＣカードを設定しておけばよい。通常は、最初に通信が成立したＩＣカ
ードが選択されるが、通信方式判別手段が判別した通信方式と合致する通信方式のＩＣカ
ードが複数ある場合には、その何れかを選択できるように、携帯端末の表示画面に通信可
能なＩＣカードが複数ある場合には、その何れかを選択できるように、携帯端末の表示画
面に通信可能なＩＣカードの種類を表示するようにしてもよいし、またＩＣカードの利用
履歴に基づいて、ＩＣカードが選択されるようにしてもよい。さらに、通信を拒否する場
合には、スイッチをＯＦＦにしておけばよい。
【００３７】
また、図８は、図７と同様な動作を行うことが可能な構成として、予め、携帯電話の内
部に、１個のＩＣカードＡまたはＩＣカード機能ユニット（ＩＣカードチップまたはＬＳ
Ｉチップ等）を内蔵した（または組み込まれた）構成を示す図である。図８において、携
帯電話に、ＩＣカードＡを内蔵する部分とＩＣカード収納部Ｂとが、各々複数部分で構成
されていてもよいことは言うまでもない。またＩＣカード収納部がなく複数のＩＣカード
機能ユニットだけで構成されてもよい。
【００３８】
図９は、ＩＣカード収納部が、ＩＣカードとのアンテナ接続用の接触端子を持たず、代
わりにブースターコイルを備えている携帯電話の内部構成の例を示した図である。
【００３９】
ＩＣカードＡ１０２内にブースターコイル８００を内蔵し、対向する収納部１０４にも
ブースターコイル８０１を搭載することで、アンテナ用の接触端子がなくても、電磁的に
アンテナからの信号を伝達させることが可能となっている。
【００４０】
図１０は、異なる通信方式に応じた処理を個別に行う複数の通信処理部と、複数の通信
処理部が共通に利用可能な共通RF処理部とを備え、外部装置との通信方式に合致する通信
処理部に切り替えることが可能なＩＣカードの内部構成の例を示した図である。
【００４１】
非接触ＩＣカード１０２は、アンテナ端子部９００を通じて、外部装置の発するある通
信方式のＲＦ動作磁界を共通ＲＦ受信部９０１で受信する。受信した通信は、通信方式判
断部９０２によって、どの通信方式か判断される。通信方式判断部９０２は判断した結果
をスイッチ制御部９０３に送り、スイッチ制御部はその結果に基づいてスイッチ９０４を
制御する。スイッチ制御により、通信方式A処理部９０５もしくは通信方式Ｂ処理部９０
６が接続されることになり、適切なモジュールで通信が可能になる。このようなカードを
用いることで、携帯電話にカードが１枚しか収納できない場合でも、複数の通信方式の非
接触ＩＣカード通信をサポートできるようになる。なお、スイッチはアンテナだけでなく
、電源線など他の接続も連動して切り替えることで、不要な通信処理部に対する電源供給
を抑えることが可能になり、消費電流を小さくすることができる。
【００４２】
図１１は、ＩＣカードチップ（機能ユニット）を内蔵したメモリカードの内部構成の例
を示した図である。
【００４３】
メモリカード１０００は、接触端子部１００１と、制御部１００２を備えており、コマ
ンド種別に応じて、メモリ部１００３とＩＣカード部１００５にコマンドを振り分けるこ
とで、メモリ機能とＩＣカード機能を１枚のカードで実現可能である。さらにアンテナ端
子部１００４がＩＣカードに接続されていることで、非接触ＩＣカードと同様の機能を搭
載している。このようなメモリカードを携帯電話に収納することで、メモリカードであっ
ても非接触ＩＣカードと同様の機能を実現できる。また非接触ＩＣカードと同様の機能を
もつLSI等でも、アンテナ端子がついているものであれば、同様の機能を実現可能である
。また、RF部をモジュールの外側に出した構成を持つ非接触ＩＣカードや、メモリカード
、LSIである場合にも、アンテナを通じて、外部装置との通信を行う場合は本発明の範囲
内である。
【符号の説明】
【００４４】
１００…携帯電話、１０１…非接触ＩＣカード用アンテナ、１０２…ＩＣカードＡ、１
０３…ＩＣカードＢ、１０４…ＩＣカード収納部Ａ、１０５…ＩＣカード収納部Ｂ、１０６
…スイッチ、１０７…スイッチ制御部、１０８…外部装置Ａ、１０９…外部装置Ａアンテナ
、１１０…外部装置Ｂ、１１１…外部装置Ａアンテナ、２００…アンテナ接続カード切り
替えスイッチ、３００…アンテナ接続カード切り替え画面、３０１…アンテナ接続アイコ
ン例１、３０２…アンテナ接続アイコン例２、６００…アンテナ接続カード認証失敗画面
、７００…共通ＲＦ受信部、７０１…通信方式判断部、８００…非接触ＩＣカードブース
ターアンテナ、８０１…ＩＣカード収納部ブースターアンテナ、９００…アンテナ端子部
、９０１…共通ＲＦ受信部、９０２…通信方式判断部、９０３…スイッチ制御部、９０４
…スイッチ、９０５…通信方式Ａ処理部、９０６…通信方式Ｂ処理部、１０００…非接触Ｉ
Ｃカード内蔵メモリカード、１００１…接触端子部、１００２…制御部、１００３…メモ
リ部、１００４…アンテナ端子部、１００５…ＩＣカード部。
【図１】
2010114906.tif 000003
【図２】
2010114906.tif 000004
【図３】
2010114906.tif 000005
【図４】
2010114906.tif 000006
【図５】
2010114906.tif 000007
【図６】
2010114906.tif 000008
【図７】
2010114906.tif 000009
【図８】
2010114906.tif 000010
【図９】
2010114906.tif 000011
【図１０】
2010114906.tif 000012
【図１１】
2010114906.tif 000013
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
ＩＣカードが外部装置と非接触通信を行うためのアンテナ部を有する携帯端末において、
複数個のＩＣカード収納部と、
前記ＩＣカード収納部に収納された複数個のＩＣカードと前記アンテナ部との接続を制御する制御部と
を備え、
前記外部装置と通信する前記ＩＣカードの選択を可能としたことを特徴とする携帯端末。
【請求項２】
前記制御部は前記ＩＣカードと前記アンテナ部との接続を切り替えるスイッチ部と、
前記スイッチ部の動作を制御するスイッチ制御部とを有する
ことを特徴とする請求項１記載の携帯端末。
【請求項３】
前記制御部は前記ＩＣカードとの接続をオフすることを含む
ことを特徴とする請求項１記載の携帯端末。
【請求項４】
前記スイッチ制御部は、前記携帯端末に設けられた操作者が操作できるハードウェアのスイッチ素子を有する
ことを特徴とする請求項２に記載の携帯端末。
【請求項５】
前記スイッチ制御部は、前記携帯端末のソフトウェアにより構成される
ことを特徴とする請求項２に記載の携帯端末。
【請求項６】
前記スイッチ制御部は認証処理を行う認証処理手段を有し、
前記認証処理手段の認証結果に基づいて、前記スイッチ部を制御する
ことを特徴とする請求項２に記載の携帯端末。
【請求項７】
ＩＣカードが外部装置と非接触通信を行うためのアンテナ部を有する携帯端末において、
複数個のＩＣカード収納部と、
前記ＩＣカード収納部に収納された複数個の異なる通信方式の前記ＩＣカードと前記ア
ンテナ部との接続を切り替えるスイッチ部と、
前記スイッチ部の動作を制御するスイッチ制御部と、
前記外部装置が発生するRF動作磁界を受信し、前記受信したRF動作磁界から通信方式を判別する通信方式判別手段とを有し、
前記スイッチ制御部は前記通信方式判別手段が判別した通信方式と合致する通信方式の
前記ＩＣカードを選択し接続するように前記スイッチ部を制御する
ことを特徴とする携帯端末。
【請求項８】
前記スイッチ制御部は前記選択されていないＩＣカードの電源供給をオフする
ことを特徴とする請求項７記載の携帯端末。
【請求項９】
前記携帯端末は表示手段を有しており、
前記表示手段に前記ＩＣカードと前記アンテナ部との接続状態を表示する
ことを特徴とする請求項１乃至請求項８の何れか１項に記載の携帯端末。
【請求項１０】
前記ＩＣカード収納部はブースターコイルを有し、
非接触ＩＣカードのアンテナと電磁的に接続される
ことを特徴とする請求項１乃至請求項９の何れか１項に記載の携帯端末。
【請求項１１】
複数個のＩＣカード機能ユニットが外部装置と非接触通信を行うためのアンテナ部を有
する携帯端末において、
前記複数個のＩＣカード機能ユニットと前記アンテナ部との接続を制御する制御部を備
え、
前記外部装置と通信するＩＣカード機能ユニットの選択を可能とした
ことを特徴とする携帯端末。
【請求項１２】
ＩＣカードまたはＩＣカード機能ユニットが外部装置と非接触通信を行うためのアンテ
ナ部を有する携帯端末において、
ＩＣカード収納部と、
前記ＩＣカード機能ユニットまたは前記ＩＣカード収納部に収納されたＩＣカードと前
記アンテナ部との接続を制御する制御部を備え、
前記外部装置と通信するＩＣカード機能ユニットとＩＣカードの何れかが前記外部装置
と通信するかを選択可能としたことを特徴とする携帯端末。
【請求項１３】
前記外部装置が複数あり、前記複数の外部装置が発生するRF動作磁界を受信した場合、
最初に通信が成立したＩＣカードを選択する
ことを特徴とする請求項７に記載の携帯端末。
【請求項１４】
前記携帯端末は表示手段を有しており、
前記通信方式判別手段が判別した通信方式と合致する通信方式のＩＣカードが複数ある
場合には、その何れかを選択できるように、前記表示手段に通信可能な前記ＩＣカードの
種類を表示する
ことを特徴とする請求項７に記載の携帯端末。
【請求項１５】
前記通信方式判別手段が判別した通信方式と合致する通信方式のＩＣカードが複数ある
場合には、前記ＩＣカードの利用履歴に基づいて接続するＩＣカードを選択する
ことを特徴とする請求項７に記載の携帯端末。
【請求項１６】
外部装置と非接触通信を行うためのアンテナ部と、異なる通信方式に応じた処理を個別
に行う複数の通信処理部とを備えたＩＣカードにおいて、
前記アンテナ部と前記複数の通信処理部との接続を切り替えるスイッチ部と、
前記スイッチ部の動作を制御するスイッチ制御部と、
前記外部装置が発生するＲＦ動作磁界を受信し、前記受信したＲＦ動作磁界から通信方
式を判別する通信方式判別手段とを有し、
前記スイッチ制御部は前記通信方式判別手段が判別した通信方式と合致する通信方式の
通信処理部を選択し接続するように前記スイッチ部を制御する
ことを特徴とするＩＣカード。
【請求項１７】
ＩＣカード収納部に収納された複数個の異なる通信方式のＩＣカードが外部装置と非接
触通信を行うためのアンテナ部を有する携帯端末におけるＩＣカード制御方法において、
前記外部装置が発生するＲＦ動作磁界を受信し、前記受信したＲＦ動作磁界から前記外
部装置の通信方式を判別するステップと、
前記判別した通信方式と合致する通信方式の前記ＩＣカードを選択し、前記アンテナ部
と接続するように制御するステップとを有する
ことを特徴とするＩＣカード制御方法。
【請求項１８】
ＩＣカード収納部に収納された複数個の異なる通信方式のＩＣカードが外部装置と非接
触通信を行うためのアンテナ部を有する携帯端末に、
前記外部装置が発生するＲＦ動作磁界を受信し、前記受信したRF動作磁界から前記外部
装置の通信方式を判別するステップと、
前記判別した通信方式と合致する通信方式の前記ＩＣカードを選択し前記アンテナ部と
接続するように制御するステップとを実行させる
ことを特徴とするソフトウェアプログラム。